(57)【特許請求の範囲】
【請求項１】
底部にスライド用溝を備えたタバコパックを陳列する本体ケースと、
前記スライド用溝に摺動可能に係合するレール摺接部を有するスライダー部材と、
前記スライダー部材を前記スライド用溝に沿って前記タバコパックの押し出し方向へ付勢する巻バネとからなるタバコパック陳列用トレイユニットであって、
前記スライダー部材が前記巻バネにより付勢されることによる移動と連動して移動する着色されたプレート材を備えることによって、前記本体ケースの正面端に前記着色されたプレート材の先端が到達することで、トレイユニット内のタバコパックの在庫数が一定の在庫数量になったことを表示できることを特徴とするタバコパック陳列用トレイユニット。
【発明の詳細な説明】
【技術分野】
【０００１】
本発明は、コンビニエンスストア等で利用されるタバコ陳列用トレイユニットに関し、特に、トレイユニット内の在庫数量を簡便な方法で確認できるような構造に関する発明である。
【背景技術】
【０００２】
現在、いわゆるコンビニエンスストア等の店舗では、タバコパックを陳列して販売している。なお、本明細書の記載において、タバコパックとは実際に喫煙される紙巻タバコではなく、複数の紙巻タバコを収容している直方体状のパッケージを意味している。
【０００３】
タバコパックの陳列方法として、例えば、２０個のトレイユニットが、４行５列などの配列を有する陳列ケースに装着され、そのトレイユニットの各々に、複数のタバコパックが収容されるような陳列方法が採用されている。
【０００４】
タバコパックは各面のサイズが相違する直方体状に形成されており、その最大面を代表面として銘柄などが表記されている。そして、タバコパックの銘柄を表記した面が前面に位置する状態で陳列される。
【０００５】
タバコパックを販売するときには、販売員がトレイユニットの最前の位置からタバコパックを上方に抜き出せばよい。その場合、トレイユニットに収容されている次のタバコパックは、巻きバネが装着されたスライダー部材により前方に押出される。このため、陳列ケースの最前の位置からタバコパックが抜き出されても、最前列にタバコパックが配置された状態が維持されるようになっている。
【０００６】
従来技術においても、物品を収納する商品収納具やシガレットパッケージのような商品の貯蔵棚において、スライド板とともに移動するテープに番号を付すことにより、テープに沿って表示された番号を、番号の位置が在庫数量となるように調整して表示することで、商品収納具の中にある物品の数が分かるような技術があった（特許文献１及び特許文献２）。しかしながら、かかる商品収納具及び商品貯蔵棚は構造が複雑であり、その複雑な構造のため、機械的な不具合を生ずることも多くメンテナンスにも手間がかかるという問題があった。構造が複雑であるがゆえ、生産コストもかかり、コスト的にも商品化が難しいという問題があった。さらには、従来の残数量を認識させるような物品収納棚及び物品収納具は、その複雑な構造上、在庫数量を表示する部分のスペース等も必要となるため、スペースの小さな販売店に備え付けるのには不向きであった。
【先行技術文献】
【特許文献】
【０００７】
【特許文献１】特開２００３−２１０２８６号公報
【特許文献２】特表２００１−５１４９５０号公報
【特許文献３】特許第４３４０２７９号公報
【発明の概要】
【発明が解決しようとする課題】
【０００８】
従来からタバコの販売において、お客様にスピーディーに対応するためのトレイユニットは存在していたが（特許文献３）、販売店内においてタバコパックを販売するために陳列ケースに陳列している状態においては、外部から目視にてトレイユニット内の在庫を確認することができなかった。
【０００９】
例えば、トレイユニット内のタバコパックの数量が１個しかない場合であっても、タバコパックは巻きバネが装着されたスライダー部材により最前列に押し出されているため、トレイユニットの最前列にタバコパックが配置された状態が維持されてしまい、販売員はこの状態では外部から目視でタバコパックの在庫数量を確認することができなかった。
【００１０】
そのため、お客様がタバコパックを２個お買い上げになる際、トレイユニット内の在庫数が１個であった場合にはトレイユニット内の在庫では足らなくなる。かかる場合には、新たにタバコパックをトレイユニット内に補充する必要が生じ、タバコパックを新たに補充するために、タバコパックを梱包から開梱する作業が生じる。タバコパックの梱包を取りに行ったり、梱包を解いたり等の時間と手間がかかる。その結果、お客様を待たせてしまうことになるため商売上の問題がある。
【００１１】
通常、タバコパックを購入する人の購買傾向として、１個のみ購入したい場合は自動販売機にて購入することが多く、複数のタバコパックを購入する人は、例えばコンビニエンスストア等の販売店にてタバコパックを購入することが多いようである。従って、トレイユニット内の在庫数が１個である場合は、販売店では複数のタバコパックが購入される可能性が高いため、トレイユニット内での在庫切れを発生させてしまう蓋然性が極めて高いのである。
【００１２】
別の問題として、１０種類程度の銘柄を販売するような、例えばキオスクのような小規模な販売店であればさほど問題とはならないものの、２００種類以上の銘柄を販売する販売店もあり、このような比較的大きな販売店の販売員が在庫を確認しようとすれば、前面部からしか目視できないため、いちいち、２００以上ものトレイユニットを開けて確認しなければならず、在庫確認にかなりの時間を要することとなり、かつ、非常に手間がかかり面倒であるという問題もあった。そのため、販売員がタバコパックの在庫がある一定の在庫数になったタイミングで、新たなタバコパックを補充できるようにするために在庫数を表示できるようなトレイユニットが望まれていた。
【００１３】
残りの数量を認識させるような物品収納棚及び物品収納具は存在したが（特許文献１及び特許文献２）、かかる物品収納棚及び物品収納具は構造が複雑であり、その複雑な構造のため、不具合を生ずることも多くメンテナンスにも手間がかかるという問題があった。構造が複雑であるがゆえ、生産コストもかかり、コスト的にも商品化が難しいという問題があった。さらには、従来の残数量を認識させるような物品収納棚及び物品収納具（特許文献１及び特許文献２）は、その複雑な構造上、在庫数量を表示する部分のスペース等も必要となるため、スペースの小さな販売店には不向きであった。
【課題を解決するための手段】
【００１４】
上記課題を解決するために、本発明は底部にスライド用溝を備えたタバコパックを陳列する本体ケースと、前記スライド用溝に摺動可能に係合するレール摺接部を有するスライダー部材と、前記スライダー部材を前記スライド用溝に沿って前記タバコパックの押し出し方向へ付勢する巻バネとからなるタバコパック陳列用トレイユニットであって、前記スライダー部材が前記巻バネにより付勢されることによる移動と連動して移動する着色されたプレート材を備えることによって、前記本体ケースの正面端に前記着色されたプレート材の先端が到達することで、トレイユニット内のタバコパックの在庫数が一定の在庫数量になったことを表示できることを特徴とするタバコパック陳列用トレイユニットとした。
【００１５】
さらに、上記課題を解決するために、本発明は前記スライダー部材の押出方向と反対側にマクネットが貼付され、前記プレート材に前記スチール部材を取り付けることにより、前記マグネットによる磁力によりスライダー部材とプレート材を接合させることにより、前記スライダー部材の移動と連動してプレート材を移動させることを特徴とするタバコパック陳列用トレイユニットとした。
【００１６】
さらに、上記課題を解決するために、本発明は、前記スライダー部材に貼付されたマグネットと前記スチール材間の磁力は、前記スライダー部材を前記スライド用溝に沿って前記タバコパックの押し出し方向へ付勢する巻きバネの付勢力よりも弱いことを特徴とするタバコパック陳列用トレイユニットとした。
【００１７】
さらに、上記課題を解決するために、本発明は前記本体ケースの前面側の側面に凸部を備えるとともに、前記プレート材には前記凸部に嵌合可能な凹部を備えることにより、前記プレート材の位置を保持する機能を有することを特徴とするタバコパック陳列用トレイユニットとした。
【００１８】
実際の課題は、販売員が補充のタイミングを遅れることなく認識できるようにすることにあるのであって、カウンターによる残数量表示までは必要がないのである。すなわち、ある一定の在庫量になったことを表示できる機能があれば十分であるといえる。販売員が補充のタイミングを認識するためには、色による表示で直感的にわかるようにするような機構が簡便かつ最適である。
【発明の効果】
【００１９】
本発明により、販売員は外部から目視にて在庫確認することができるようになったため、トレイユニット内で在庫切れをおこす前に、タバコパックをトレイユニットに補充することが出来ると同時にタバコパックを梱包から開梱して補充する作業を予めしておくことが出来るようになる。その結果、お客様を待たせてしまうこともなくなる。
【００２０】
販売員が在庫を確認しようとする際、わざわざ個別にトレイユニットを開けて確認する必要も無くなり、２００種類以上の銘柄を販売するケースであっても、在庫確認のための時間を大幅に短縮することになり、非常に手間がかかるという問題も無くなる。
【００２１】
本発明に係るトレイユニットは構造がシンプルであり、そのシンプルな構造のため、故障することもほとんど無く、メンテナンスにも手間がかからない。構造がシンプルであるがゆえ、生産コストもかからず、商品化も容易となる。
【００２２】
さらに、本発明では、タバコパックの数量が、ある一定の数量になった、まさにその瞬間に、巻きバネによってスライダー部材と連動してプレート材が前方に押し出されるために、プレート材の先端部が外部から認識できるように表示されるということに非常に優れた特徴がある。なぜならば、販売員はタバコを販売するために、タバコパックのトレイユニットからタバコパックを取り出す時、まさにその瞬間は、トレイユニットの前面に意識が集中しており、プレート材先端部の表示を認識しやすい状態にあるからである。かかる理由により販売員は必ず、在庫が一定の量になり、新たに補充する必要があることを認識するのである。かかる状態であることを認識した販売員が、このタイミングでタバコパックを補充すれば、トレイユニット内での在庫切れという事態を招くことは無い。
【００２３】
さらに言えば、従来（特許文献３）と同じ構造を有するタバコパック陳列用トレイユニットに、表示板として機能させる目的で、薄いプレート材を１枚付加しただけで、容易に在庫の表示ができるようになる。つまり非常にシンプルな構造であり、かつ、在庫の表示をするための新たなスペースを必要とせず、省スペースを実現することができる。さらに、本体ケースの前面の構造は従来品と同じ構造であるため、販売する側にとって必要なPOP（品名、価格、バーコード）などを挿入する部分は全く改造する必要も無く、そのまま使用できるという利点がある。
【００２４】
本発明はスライダー部材の押出方向と反対側にマクネットが貼付され、樹脂からなるプレート材にスチール板を取り付けることにより、マグネットによる磁力によりスライダー部材とプレート材が接合するため、前記スライダー部材の移動と連動してプレート材を移動させることができる。
【００２５】
さらに、本発明は本体ケースの前面側の内側の側面に凸部を備えるとともに、プレート材には凸部に嵌合可能な凹部を備えることにより、プレート材の位置を保持する機能を有するようにしたので、プレート材の位置を本体ケースの前面に到達した状態を保持することができるようになる。
【図面の簡単な説明】
【００２６】
【図１】トレイユニット全体図及び表示部拡大図である。
【図２】トレイユニットにタバコパックが充填された状態を示す斜視図である。
【図３】一定の在庫数量になったことが表示された状態を示す斜視図及び平面図である。
【図４】一定の在庫数量になったことが表示された状態のトレイユニットからタバコパックを１ケ取り出す状態を示す平面図である。
【図５】プレート材全体図である。
【符号の説明】
【００２７】
１０    本体ケース
２０    スライダー部材
３０    プレート材
４０    スチール板
５０    マグネット
６０    巻きバネ
７０    レール摺動部
８０    凹部（プレート材）
９０    凸部（本体ケース）
１００  トレイユニット
【発明を実施するための形態】
【００２８】
以下、本発明の実施の形態について図１〜図５に基づいて説明する。図１はトレイユニット全体図である。本発明に係るトレイユニット１００は、底部にスライド用溝を備えたタバコパックＴＰを陳列するための本体ケース１０と、一端を本体ケース１０の前面端に固定した巻きバネ６０を装着した、スライド用溝に摺動可能に係合するレール摺接部７０を有するスライダー部材２０と、
スライダー部材２０が、スライダー部材２０に取り付けられた巻きバネ６０により付勢されることによる移動と連動して移動する着色されたプレート材３０とからなっている。ここで本体ケース１０は少なくとも前面は、着色されたプレート材３０を目視できるように透明になっている。
【００２９】
タバコパックＴＰがトレイユニット１００から取り出されると、スライダー部材２０と連動してプレート材３０が本体ケース１０の前面に移動する。タバコパックＴＰの在庫量が一定の数量になった瞬間、すなわち、本体ケース１０の正面端に前記着色されたプレート材３０の先端が本体ケース１０の前面に到達した瞬間に、販売員は着色されたプレート材３０を目視することによって、トレイユニット１００内のタバコパックＴＰの在庫数が一定の在庫数量になったことを認識できるのである。さらに、本体ケース１０の前面の側面には凸部９０があり、プレート材３０には凹部８０があり、これらが嵌め合わされることでプレート材の位置を保持する働きをしている。この保持力は、プレート材３０の先端の位置を軽く保持する程度のもので、タバコパックＴＰを補充する際の販売員の力よりはかなり弱いものであるので販売員はタバコパックＴＰを補充する際に不都合は全くない。
【００３０】
図２は、トレイユニット１００にタバコパックＴＰが充てんされた状態を表している。この状態から前面側よりタバコパックＴＰを取り出していくと、その分、スライダー部材２０とスライダー部材２０が巻きバネ６０により付勢されることによる移動と連動して移動する着色されたプレート材３０とが前面方向に移動していくことになる。本発明はスライダー部材２０の押出方向と反対側にマクネット５０が貼付されており、スチール材４０が取り付けられたプレート材３０とが、マグネット５０の磁力により接合しているため、スライダー部材２０が巻きバネ６０により付勢されることによる移動と連動して移動するようになっている。
【００３１】
図３は、一定の在庫数量になったことが表示された状態、すなわち、プレート材３０の先端が透明な本体ケース１０の前面壁に到達した瞬間を示した図である。この瞬間販売員は着色されたプレート材３０の先端を目視にて認識することができる。販売員はタバコパックＴＰを補充すべきタイミングになったことを認識し、実際に新たにタバコパックＴＰを補充することができるのである。
【００３２】
図４はプレート材３０の先端が本体ケース１０の前面壁に到達した後にタバコパックＴＰを取り出した状態の図である。スライダー部材２０とプレート材３０はマグネット５０の磁力にて接合していたが、さらにタバコパックＴＰを取り出すことにより、巻きバネ６０の付勢力がマグネット５０の磁力よりも大きいため、スライダー部材２０とプレート材３０は離れることになる。
【００３３】
図５はプレート材３０の全体図である。プレート材３０にスチール板４０が装着されている。先端部側には凹状の切り欠きを備えている。尚、表示用プレートの材質はポリアセタール等の樹脂である。プレート材の凹部８０と本体ケース前面側の内側の側面にある凸部９０とが嵌り合い、プレート材の位置を保持する。
【００３４】
本発明に係るタバコパックＴＰ陳列用トレイユイット１００において、タバコパックＴＰ用トレイユニット１００の本体サイズは、タバコパックＴＰ収容許容数と１つの梱包におけるタバコパックＴＰ数の関係を考慮に入れて、自由に在庫数を表示するプレート材３０の長さを決めることで、作業性を向上することが出来る。
【００３５】
具体的には、在庫が５個になったタイミングで着色されたプレート材３０からなる表示が前面に現れるような長さのプレート材３０を設置すると以下のような利点がある。この利点について説明すると、通常、タバコパックＴＰは１０個で１つの梱包がなされており、タバコパックＴＰ用トレイユニット１００にはタバコパックＴＰ１５個分が入るようになっている。このため、開梱して補充する場合は１０ケ全て補充しないと残りの在庫を収納する場所が必要となるわけであるが、本発明では在庫が５ケになったとき、すなわち、空間が１０個分になったときに補充の表示がされるので好都合である。１つの梱包に含まれるすべてのタバコパックＴＰがトレイユニット１００に収容されるので、残りの在庫は発生せず、それらを置くためのスペースを確保する必要がないからである。
【００３６】
尚、いわゆる製品の先入れ先出しを実現するために、本発明は、本体ケース１０内に残
存しているタバコパックＴＰの位置を維持したままスライダー部材２０とプレート材３０を奥に押し込み、スライダー部材３０の手前と前記本体ケース内１０に残存しているタバコパックＴＰとの間に新たなタバコパックＴＰを補充する必要がある。
本発明の実施形態は以下の技術思想を包含する。
（１）底部にスライド用溝を備えたタバコパックを陳列する本体ケースと、前記スライド用溝に摺動可能に係合するレール摺接部を有するスライダー部材と、前記スライダー部材を前記スライド用溝に沿って前記タバコパックの押し出し方向へ付勢する巻バネとからなるタバコパック陳列用トレイユニットであって、前記スライダー部材が前記巻バネにより付勢されることによる移動と連動して移動する着色されたプレート材を備えることによって、前記本体ケースの正面端に前記着色されたプレート材の先端が到達することで、トレイユニット内のタバコパックの在庫数が一定の在庫数量になったことを表示できることを特徴とするタバコパック陳列用トレイユニット。
（２）前記スライダー部材の押出方向と反対側にマクネットが貼付され、前記プレート材に前記スチール部材を取り付けることにより、前記マグネットによる磁力によりスライダー部材とプレート材を接合させることにより、前記スライダー部材の移動と連動してプレート材を移動させることを特徴とする上記（１）に記載のタバコパック陳列用トレイユニット。
（３）前記スライダー部材に貼付されたマクネットと前記スチール材間の磁力は前記スライダー部材を前記スライド用溝に沿って前記タバコパックの押し出し方向へ付勢する巻きバネの付勢力よりも弱いことを特徴とする上記（２）に記載のタバコパック陳列用トレイユニット。
（４）前記本体ケースの前面側の側面に凸部を備えるとともに、前記プレート材には前記凸部に嵌合可能な凹部を備えることにより、前記プレート材の位置を保持する機能を有することを特徴とする上記（１）乃至（３）のいずれかに記載のタバコパック陳列用トレイユニット。
【図１】
0005503041.tif 000002
【図２】
0005503041.tif 000003
【図３】
0005503041.tif 000004
【図４】
0005503041.tif 000005
【図５】
0005503041.tif 000006